(57)【要約】【課題】  この発明は、成形型と冷菓材との密着状態を素早く解除して、成形型の取り外しを容易に行うことができる冷菓材容器を得ることを課題とする。【解決手段】  この発明は、冷菓材を収容可能な容器本体２と、前記容器本体２に収容された冷菓材に凹部を成形するための成形型３とを備えた冷菓材容器１であって、前記成形型３は上方が開口した下向きの凸部３１を備え、前記凸部３１の開口周縁には前記容器本体２の上縁に掛け渡されるフランジ３３を部分的に形成し、前記フランジ３３が形成されていない前記凸部３１の開口周縁には前記凸部３１の周壁を内側に変形させるための操作片３５を設けて構成する。【選択図】  図１
2018167863.tif 000002
【特許請求の範囲】
【請求項１】
冷菓材を収容可能な容器本体と、前記容器本体に収容された冷菓材に凹部を成形するための成形型とを備えた冷菓材容器であって、
前記成形型は、上方が開口した下向きの凸部を備え、
前記凸部の開口周縁には、前記容器本体の上縁に掛け渡されるフランジが部分的に形成され、
前記フランジが形成されていない前記凸部の開口周縁には、前記凸部の周壁を内側に変形させるための操作片が設けられた、
冷菓材容器。
【請求項２】
操作片は、容器本体の上縁に掛け渡されるようにするとともに、
前記操作片及び容器本体の上縁に掛け渡されるフランジには、成形型凸部の前記容器本体内における配設位置を決めるための位置決め手段が形成された、
請求項１記載の冷菓材容器。
【請求項３】
操作片には、指掛け部が形成された、請求項１又は２記載の冷菓材容器。
【請求項４】
操作片が設けられた位置に対応する凸部周壁は、内向きの凹状に形成された、請求項１ないし３の何れか記載の冷菓材容器。
【請求項５】
フランジが形成されていない部分に対応する凸部周壁は、縦向きの蛇腹状に形成された、請求項１ないし４の何れか記載の冷菓材容器。
【発明の詳細な説明】
【技術分野】
【０００１】
この発明は、かき氷やシャーベットなどの冷菓材に凹部を成形しながら包装するための容器に関するものである。
【背景技術】
【０００２】
従来より、かき氷やシャーベットのような氷菓に凹部を成形し、この凹部にコーヒーやジュース、酒類などの飲料を注ぐことで、誰でも手軽にフローズン飲料を作ることができる容器が提供されている。例えば、特開平１０−１１７６９２号公報には、カップ状容器に充填される氷菓の中心部に略円錐形状の凹部が成形されるよう、容器蓋の中心部底面に円錐形状の凸部を設けた氷菓容器が開示されている。
【０００３】
しかしながら、このような従来の氷菓容器にあっては、氷菓に凹部を成形するための凸部を備えた容器蓋を容器本体から外す際、氷菓がこの凸部に密着した状態で凍結しているため、容器蓋を外しにくいという問題がある。
【特許文献１】特開平１０−１１７６９２号公報
【０００４】
かかる問題を解決するものとして、特開２０１６−２６４７２号公報に記載された冷菓材の成形容器の発明が提案されている。この発明によれば、容器本体に収容された冷菓材の一部を成形することが可能な蓋体の外面に螺旋状の段差が形成されているので、冷菓材の表面に形成された螺旋状の段差に沿って蓋体を回転させることにより、蓋体を冷菓材からスムーズに引き抜くことができる。
【０００５】
しかしながら、特開２０１６−２６４７２号公報に記載された冷菓材の成形容器の蓋体にあっては、冷菓材の表面に形成された螺旋状の段差に沿って蓋体を回転させながら外さなければならず、外す際にコツが必要となる。また、冷菓は蓋体の外面に密着した状態で凍結しているため、蓋体を回転させただけでは冷菓が蓋体とくっついた状態で一緒に回転してしまい、蓋体と冷菓との密着状態を素早く解除することができない。蓋体と冷菓との密着状態を素早く解除するためには、冷菓を押さえながら蓋体を回転させなければならないところ、冷菓は容器本体内に収容されているため、これを押さえることができない。
【特許文献２】特開２０１６−２６４７２号公報
【発明の開示】
【発明が解決しようとする課題】
【０００６】
この発明は、成形型と冷菓材との密着状態を素早く解除して、成形型の取り外しを容易に行うことができる冷菓材容器を得ることを課題とする。
【課題を解決するための手段】
【０００７】
この発明の冷菓材容器は、冷菓材を収容可能な容器本体と、前記容器本体に収容された冷菓材に凹部を成形するための成形型とを備えた冷菓材容器であって、前記成形型は上方が開口した下向きの凸部を備え、前記凸部の開口周縁には前記容器本体の上縁に掛け渡されるフランジを部分的に形成するとともに、前記フランジが形成されていない前記凸部の開口周縁には前記凸部の周壁を内側に変形させるための操作片を設けて構成する。
前記容器本体は、かき氷やシャーベットなどの冷菓材を収容可能で弾性変形できる容器であればよく、合成樹脂製の筒状容器などを用いることが考えられる。
また、前記成形型は、前記容器本体内に収容された冷菓材に前記下向きの凸部を挿入して前記冷菓材に凹部を成形するためのものであり、低温時でも割れにくい合成樹脂などを用いて構成することが考えられる。そして、前記凸部は下向きの凸部として形成されていればよく、凸部の形状としては、円筒状、角柱状、逆円錐状など、種々の形状が考えられる。
【０００８】
請求項２の発明は、前記操作片は前記容器本体の上縁に掛け渡されるようにするとともに、この操作片及び前記容器本体の上縁に掛け渡されるフランジに、前記成形型凸部の前記容器本体内における配設位置を決めるための位置決め手段を形成したことを特徴とする。
前記位置決め手段としては、例えば、前記フランジ及び操作片に、容器本体の上縁内側に当接可能な下向き凸部を形成したり、前記フランジ及び操作片の外縁側を容器本体の上縁に嵌合可能な断面略逆Ｕ字状に形成することが考えられる。
【０００９】
請求項３の発明は、前記操作片に指掛け部を形成したことを特徴とする。前記指掛け部は、前記操作片を操作して前記凸部を内向きに変形させる際に、指を掛けることができるものであればよく、例えば、前記操作片に、指が入る程度の凹部を形成したり、指を引っ掛けることができる程度の凸部を形成したりすることが考えられる。
【００１０】
請求項４の発明は、前記凸部周壁の前記操作片対応位置を内向きの凹状に形成したことを特徴とする。
【００１１】
請求項５の発明は、前記凸部周壁の前記フランジが形成されていない部分の対応位置を縦向きの蛇腹状に形成したことを特徴とする。
【発明の効果】
【００１２】
この発明によれば、冷菓材を収容可能な容器本体と、前記容器本体に収容された冷菓材に凹部を成形するための成形型とを備えた冷菓材容器において、上方が開口した下向きの凸部を備えた成形型の前記凸部の開口周縁に前記容器本体の上縁に掛け渡されるフランジを部分的に形成したので、成形型凸部の開口周縁のフランジが形成されていない部分（非フランジ部）がフランジによって規制されることがなくなるため変形可能となる。そして、この非フランジ部に前記凸部の周壁を内側に変形させるための操作片を設けたので、この操作片を操作して成形型の凸部周壁を内側方向に変形させることで、冷菓材と密着した成形型を冷菓材から強制的に剥がすことにより、素早くかつ容易に成形型と冷菓材との密着状態を解除することができる。
【００１３】
請求項２の発明によれば、前記操作片は前記容器本体の上縁に掛け渡されるようにするとともに、この操作片及び前記容器本体の上縁に掛け渡されるフランジには、成形型凸部の容器本体内における配設位置を決めるための位置決め手段を形成したので、氷菓材が収容された容器本体に成形型を嵌め込む際、この位置決め手段を用いることにより容器本体内の特定の位置に成形型凸部を配設することができる。これにより、氷菓材の特定の位置に凹部を成形することができる。
【００１４】
請求項３の発明によれば、前記操作片には指掛け部を形成したので、この指掛け部に指を掛けて操作を行うことにより、成形型の凸部周壁を内側方向に変形させる際の操作性を向上させることができる。
【００１５】
請求項４の発明によれば、前記操作片が設けられた位置に対応する凸部周壁を内向きの凹状に形成したので、操作片を操作して成形型の凸部周壁を内側方向に変形させる際、成形型の凸部周壁が内側方向に変形しやすく、一層素早くかつ容易に成形型と冷菓材との密着状態を解除することができる。
【００１６】
請求項５の発明によれば、前記フランジが形成されていない部分（非フランジ部）に対応する凸部周壁を縦向きの蛇腹状に形成したので、操作片を操作して成形型の凸部周壁を内側方向に変形させる際、成形型の凸部周壁の内側方向への可動域を大きくすることができ、確実に成形型と冷菓材との密着状態を解除することができる。
【図面の簡単な説明】
【００１７】
【図１】この発明の実施例の概要を示す斜視図
【図２】同じく断面図
【図３】同じく平面図
【図４】同じく成形型の斜視図
【図５】同じく使用方法を説明する図（冷菓材を容器本体内に収容して成形型を嵌め込んだ状態の断面図）
【図６】同じく使用方法を説明する図（操作片を操作して成形型を冷菓材から剥離する様子を示す断面図）
【図７】この発明の第２の実施例の概要を示す斜視図
【図８】同じく使用方法を説明する図（冷菓材を容器本体内に収容して成形型を嵌め込んだ状態の断面図）
【図９】同じく使用方法を説明する図（操作片を操作して成形型を冷菓材から剥離する様子を示す断面図）
【発明を実施するための形態】
【００１８】
図１ないし４は、この発明の冷菓材容器の概要を示す図である。
冷菓材容器１は、かき氷やシャーベットなどの冷菓材が収容される容器本体２と、この容器本体２内に収容された冷菓材に凹部を成形するための成形型３とからなる。
【００１９】
容器本体２は、弾性変形できる樹脂、例えばＰＰ樹脂を用いて肉薄の略円筒形状に形成された有底容器であり、内部にかき氷やシャーベットなどの冷菓材を収容することができる。また、肉薄に形成されているので、胴体部を把持して力を加えることにより、胴体部を容易に弾性変形させることができる。
【００２０】
成形型３は、低温時でも割れにくい樹脂、例えばゴム成分を含むＰＳ樹脂を用いて肉薄に形成されており、上方が開口した略逆円錐状の成形凸部３１を備え、上方の開口部３２周縁には、容器本体２の上縁に掛け渡されるフランジ３３が、開口部３２周縁の半周をやや超える程度に亘って形成されている。また、開口部３２周縁のフランジ３３が形成されていない部分（非フランジ部）３４には、操作片３５が容器本体２の上縁に掛け渡されるように設けられている。
【００２１】
成形型３のフランジ３３の裏側には、成形凸部３１の容器本体２内における配設位置を決めるための位置決め手段としての位置決め凸部３３１が間隔を介して三つ形成されている。
また、操作片３５の裏側には成形凸部３１の容器本体２内における配設位置を決めるための位置決め手段としての位置決め凸部３５１が一つ形成され、表側には成形凸部３１の周壁を内側に変形させるための操作凸部３５２が形成されている。
成形型３を容器本体２に嵌め込む際には、フランジ３３に形成された位置決め凸部３３１と、操作片３５に形成された位置決め凸部３５１とを、容器本体２の上縁内側に当接させるようにして装着することにより、容器本体２内における成形凸部３１を所定の位置に配設することができる。
【００２２】
そして、操作片３５が設けられた位置に対応する成形凸部３１の周壁には内向きの凹部３１１が形成され、非フランジ部３４に対応する成形凸部３１の周壁には縦向きの蛇腹部３１２が形成されている。
【００２３】
図５及び図６は、この冷菓材容器１の使用方法を説明するための図である。図５は、容器本体２内に冷菓材Ｉを収容した後、成形型３を容器本体２に嵌め込んだ状態を示す図であり、図６は、操作片３５を操作して成形型３を冷菓材Ｉから剥離する様子を示す図である。
図５に示すように、容器本体２内において冷菓材Ｉは成形型３と密着した状態で凍結されている。
成形型３を容器本体２から取り外す場合、図６に示すように、操作片３５の操作凸部３５２を指で内側方向（矢示方向）に押すと、成形凸部３１の蛇腹部３１２が変形して内側方向に拡がるので、非フランジ部３４に対応する成形凸部３１の周壁部分における冷菓材Ｉとの密着状態を強制的に解除することができる。そして、このように成形凸部３１と冷菓材Ｉとの密着状態が部分的に解除されると、成形凸部３１と冷菓材Ｉとの間に空気が入り込みやすくなるので、容易に成形型３を冷菓材Ｉから剥離することができる。
このとき、操作片３５が設けられた位置に対応する成形凸部３１の周壁に内向きの凹部３１１が形成されているので、操作片３５の操作凸部３５２を押して成形凸部３１の周壁を内側方向に変形させる際に、小さな力で変形させることができる。
【００２４】
成形型３を取り外した後、凹部が成形された冷菓材Ｉを容器本体２ごともみほぐし、さらにコーヒーなどの飲料を注入してかき混ぜることにより、誰でも手軽にフローズン飲料を作ることができる。
【００２５】
図７ないし図９は、操作片３５を一対に設けた場合の実施例（実施例２）を示す図である。
実施例１は、操作片３５を一つ設けた場合の例を説明したものであるが、操作片３５は、開口部３２周縁の対向位置に一対のものとして設けることもできる。
すなわち、実施例２においては、成形型３の上方の開口部３２周縁に、それぞれ開口部３２を挟んで対向する一対のフランジ３３，３３と、一対の操作片３５，３５とが十字に交差するようにして設けられ、容器本体２の上縁に掛け渡されている。そして、一対のフランジ３３，３３の裏側にはそれぞれ位置決め凸部３３１，３３１が形成され、一対の操作片３５，３５の裏側にはそれぞれ位置決め凸部３５１，３５１が、表側には操作凸部３５２，３５２が形成されている。
その他の構成は実施例１と同じである。
【００２６】
この実施例においては、成形型３を容器本体２から取り外す場合、図９に示すように、操作片３５，３５の操作凸部３５２，３５２を指で内側方向（矢示方向）に押すと、成形凸部３１の蛇腹部３１２が変形して内側方向に拡がるので、非フランジ部３４に対応する成形凸部３１の周壁部分における冷菓材Ｉとの密着状態を強制的に解除することができるところ、例えば、片方の操作凸部３５２に親指を当て、もう片方の操作凸部３５２に中指を当てて、この親指と中指とで摘まむようにして内側方向（矢示方向）に力を加えると、片手で簡単に変形操作を行うことができるだけでなく、冷菓材Ｉからの成形型３の取り外しも片手で行うことができる。加えて、成形凸部３１と冷菓材Ｉとの密着状態が２箇所で解除されることとなるので、成形凸部３１と冷菓材Ｉとの間により一層空気が入り込みやすくなり、冷菓材Ｉからの成形型３の剥離も一層容易になる。
【産業上の利用可能性】
【００２７】
この発明は、かき氷やシャーベットなどの冷菓材に凹部を成形しながらこれを包装するための容器に関するものであり、産業上の利用可能性を有するものである。
【符号の説明】
【００２８】
１  冷菓材容器
２  容器本体
３  成形型
３１  成形凸部
３１１  凹部
３１２  蛇腹部
３２  開口部
３３  フランジ
３３１  位置決め凸部
３４  非フランジ部
３５  操作片
３５１  位置決め凸部
３５２  操作凸部
Ｉ  冷菓材
【図１】
2018167863.tif 000003
【図２】
2018167863.tif 000004
【図３】
2018167863.tif 000005
【図４】
2018167863.tif 000006
【図５】
2018167863.tif 000007
【図６】
2018167863.tif 000008
【図７】
2018167863.tif 000009
【図８】
2018167863.tif 000010
【図９】
2018167863.tif 000011